(57)【要約】【課題】環境負荷の低減を促進することができる仲介システムを提供する。【解決手段】仲介システム１は、生ゴミ処理機に投資する投資者の投資者端末２と、生ゴミ処理機を利用するユーザのユーザ端末３と、投資者端末及びユーザ端末の間を仲介する仲介サーバ４で構成される。投資者端末２は投資者に関する情報をインターネット８を介して仲介サーバ４に送信する投資者情報送信手段５を備える。ユーザ端末３はユーザ情報送信手段１５を備える。仲介サーバ４は投資者情報データベース９と、ユーザ情報データベース１０と、ユーザ情報転送手段１１と、生ゴミ処理機情報データベース１２と、生ゴミ処理機情報転送手段１３と、投資者情報転送手段１４を備える。投資者端末２はユーザ情報受信手段６と、ユーザ選択情報送信手段７を備える。ユーザ端末３は投資者情報受信手段１６と、投資者選択情報送信手段１７を備える。【選択図】図１
2008065740.tif 000002
【特許請求の範囲】
【請求項１】
対象物に投資する投資者が利用する投資者端末と、対象物を利用するユーザが利用するユーザ端末と、同投資者端末及び同ユーザ端末の間を仲介する仲介サーバとによって、仲介を行なう仲介システムであって、
前記投資者端末は、投資者に関する情報を通信回線を介して前記仲介サーバに送信する投資者情報送信手段を備え、
前記ユーザ端末は、ユーザに関する情報を通信回線を介して前記仲介サーバに送信するユーザ情報送信手段を備え、
前記仲介サーバは、前記投資者情報送信手段から受信した投資者に関する情報を記録する投資者情報記録手段と、
前記ユーザ情報送信手段から受信したユーザに関する情報を記録するユーザ情報記録手段と、
該ユーザ情報記録手段に記録されたユーザに関する情報を通信回線を介して前記投資者端末に転送するユーザ情報転送手段と、
前記対象物に関する情報を記録する対象物情報記録手段と、
該対象物情報記録手段に記録された前記対象物に関する情報を通信回線を介して前記投資者端末及び前記ユーザ端末に転送する対象物情報転送手段とを備え、
前記投資者端末は、前記ユーザ情報転送手段からユーザに関する情報を受信するユーザ情報受信手段と、
該ユーザ情報受信手段によって受信したユーザに関する情報に基づいて、対象物を賃借するユーザを選択するユーザ選択情報を前記仲介サーバに通信回線を介して送信するユーザ選択情報送信手段を備えた
ことを特徴とする仲介システム。
【請求項２】
前記仲介サーバは、前記投資者情報記録手段に記録された投資者に関する情報を通信回線を介して前記ユーザ端末に転送する投資者情報転送手段を備え、
前記ユーザ端末は、該投資者情報転送手段から投資者に関する情報を受信する投資者情報受信手段と、
該投資者情報受信手段によって受信した投資者に関する情報に基づいて、賃借する対象物の投資者を選択する投資者選択情報を前記仲介サーバに通信回線を介して送信する投資者選択情報送信手段を備えた
ことを特徴とする請求項１に記載の仲介システム。
【請求項３】
対象物に投資する投資者が利用する投資者端末及び対象物を利用するユーザが利用するユーザ端末の間を仲介する仲介サーバを有する、仲介を行なう仲介システムであって、
前記仲介サーバは、前記投資者端末から投資者に関する情報を通信回線を介して受信する投資者情報受信手段と、
前記ユーザ端末からユーザに関する情報を通信回線を介して受信するユーザ情報受信手段と、
前記投資者情報受信手段によって受信した投資者に関する情報を記録する投資者情報記録手段と、
前記ユーザ情報受信手段によって受信したユーザに関する情報を記録するユーザ情報記録手段と、
該ユーザ情報記録手段に記録されたユーザに関する情報を通信回線を介して前記投資者端末に転送するユーザ情報転送手段と、
前記対象物に関する情報を記録する対象物情報記録手段と、
該対象物情報記録手段に記録された前記対象物に関する情報を通信回線を介して前記投資者端末及び前記ユーザ端末に転送する対象物情報転送手段と、
受信したユーザに関する情報に基づいて、投資者が、対象物を賃借するユーザを選択するユーザ選択情報を前記投資者端末から通信回線を介して受信するユーザ選択情報受信手段とを備えた
ことを特徴とする仲介システム。
【請求項４】
前記仲介サーバは、前記投資者情報記録手段に記録された投資者に関する情報を通信回線を介して前記ユーザ端末に転送する投資者情報転送手段と、
受信した投資者に関する情報に基づいて、ユーザが、賃借する対象物の投資者を選択する投資者選択情報を前記ユーザ端末から通信回線を介して受信する投資者選択情報受信手段を備えた
ことを特徴とする請求項３に記載の仲介システム。
【発明の詳細な説明】
【技術分野】
【０００１】
本発明は仲介システムに関する。詳しくは、生ゴミ処理機等の対象物を通して投資者とユーザを仲介する仲介システムに係るものである。
【背景技術】
【０００２】
企業間同士の商取引では、売り手企業と買い手企業との間に商社等の仲介業者が介在し、仲介業者が企業間の商取引における在庫リスク等をとることにより、企業間の商取引に介入し、決済条件等により支払猶予を供与し、大規模な商取引が成立している。
【０００３】
また、インターネット上での電子商取引形態としては、企業と個人、若しくは個人と個人における形態が普及しているが、電子商取引の一種として、販売しようとする物品を登録しておいてオークションを介して販売する方法がある。
【０００４】
しかし、オークションサービスは物品の売り手と買い手に全て同一な情報が提供されるために物品の値段が買い手に有利に提供されないという問題点があった。
【０００５】
そこで、例えば特許文献１には、買い手端末から購買しようとする商品の種類、買い値及び購買数量を含む購買情報を入力されて物品購買希望内訳データベースに貯蔵し、売り手端末から販売しようとする商品種類、売り値及び販売数量を含む販売情報を入力されて物品供給希望内訳データベースに貯蔵し、同一商品に対する売り値と買い値とを比較して、買い値が売り値と等しいか高い場合に、買い手と売り手間に取引を締結させ、取引が成立すると各データベースのデータを更新して記録すると共に、商品の受け渡し及び代金の決済を行うシステムが記載されている。
【０００６】
【特許文献１】特開２００１−９２８９９号公報
【発明の開示】
【発明が解決しようとする課題】
【０００７】
しかしながら、従来のような物品売買を前提として選択権が買い手にある買い手有利の商取引システムでは、大量生産及び大量消費を助長し、人の活動により環境に加えられる影響であって環境保全上の支障の原因となるおそれのあるもの、いわゆる環境負荷を低減させる効果があまり期待できなかった。
【０００８】
本発明は、以上の点に鑑みて創案されたものであり、環境負荷の低減を促進することができる仲介システムを提供することを目的とする。
【課題を解決するための手段】
【０００９】
上記の目的を達成するために、本発明の仲介システムは、対象物に投資する投資者が利用する投資者端末と、対象物を利用するユーザが利用するユーザ端末と、同投資者端末及び同ユーザ端末の間を仲介する仲介サーバとによって、仲介を行なう仲介システムであって、前記投資者端末は、投資者に関する情報を通信回線を介して前記仲介サーバに送信する投資者情報送信手段を備え、前記ユーザ端末は、ユーザに関する情報を通信回線を介して前記仲介サーバに送信するユーザ情報送信手段を備え、前記仲介サーバは、前記投資者情報送信手段から受信した投資者に関する情報を記録する投資者情報記録手段と、前記ユーザ情報送信手段から受信したユーザに関する情報を記録するユーザ情報記録手段と、該ユーザ情報記録手段に記録されたユーザに関する情報を通信回線を介して前記投資者端末に転送するユーザ情報転送手段と、前記対象物に関する情報を記録する対象物情報記録手段と、該対象物情報記録手段に記録された前記対象物に関する情報を通信回線を介して前記投資者端末及び前記ユーザ端末に転送する対象物情報転送手段とを備え、前記投資者端末は、前記ユーザ情報転送手段からユーザに関する情報を受信するユーザ情報受信手段と、該ユーザ情報受信手段によって受信したユーザに関する情報に基づいて、対象物を賃借するユーザを選択するユーザ選択情報を前記仲介サーバに通信回線を介して送信するユーザ選択情報送信手段を備えたことを特徴とする。
【００１０】
ここで、ユーザ情報受信手段によって受信したユーザに関する情報に基づいて、対象物を賃借するユーザを選択するユーザ選択情報を仲介サーバに通信回線を介して送信するユーザ選択情報送信手段によって、投資者の考えが充分に反映されて投資者が投資しやすくなり、賃借される対象物への投資を促進できる。
なお、同じく環境負荷を低減するという目的を持つ小口の投資家を複数集めることで、更に本発明の目的を達成しやすくなり好ましい。
【００１１】
また、本発明の仲介システムにおいて、仲介サーバは、投資者情報記録手段に記録された投資者に関する情報を通信回線を介してユーザ端末に転送する投資者情報転送手段を備え、ユーザ端末は、投資者情報転送手段から投資者に関する情報を受信する投資者情報受信手段と、投資者情報受信手段によって受信した投資者に関する情報に基づいて、賃借する対象物の投資者を選択する投資者選択情報を仲介サーバに通信回線を介して送信する投資者選択情報送信手段を備えた場合、ユーザの考えも反映されてユーザが対象物を賃借しやすくなり、対象物の賃借を促進できる。
なお、投資者に関する情報を目的及び予算等により精査してグループ化を図るなどすることで、ユーザの希望に沿った情報としてユーザ端末に送ることができ好ましい。
【００１２】
また、上記の目的を達成するために、本発明の仲介システムは、対象物に投資する投資者が利用する投資者端末及び対象物を利用するユーザが利用するユーザ端末の間を仲介する仲介サーバを有する、仲介を行なう仲介システムであって、前記仲介サーバは、前記投資者端末から投資者に関する情報を通信回線を介して受信する投資者情報受信手段と、前記ユーザ端末からユーザに関する情報を通信回線を介して受信するユーザ情報受信手段と、前記投資者情報受信手段によって受信した投資者に関する情報を記録する投資者情報記録手段と、前記ユーザ情報受信手段によって受信したユーザに関する情報を記録するユーザ情報記録手段と、該ユーザ情報記録手段に記録されたユーザに関する情報を通信回線を介して前記投資者端末に転送するユーザ情報転送手段と、前記対象物に関する情報を記録する対象物情報記録手段と、該対象物情報記録手段に記録された前記対象物に関する情報を通信回線を介して前記投資者端末及び前記ユーザ端末に転送する対象物情報転送手段と、受信したユーザに関する情報に基づいて、投資者が、対象物を賃借するユーザを選択するユーザ選択情報を前記投資者端末から通信回線を介して受信するユーザ選択情報受信手段とを備えたことを特徴とする。
【００１３】
ここで、受信したユーザに関する情報に基づいて投資者が、対象物を賃借するユーザを選択するユーザ選択情報を前記投資者端末から通信回線を介して受信するユーザ選択情報受信手段によって、投資者の考えが充分に反映されて投資者が投資しやすくなり、賃借される対象物への投資を促進できる。
【００１４】
また、本発明の仲介システムにおいて、仲介サーバは、前記投資者情報記録手段に記録された投資者に関する情報を通信回線を介して前記ユーザ端末に転送する投資者情報転送手段と、受信した投資者に関する情報に基づいて、ユーザが、賃借する対象物の投資者を選択する投資者選択情報を前記ユーザ端末から通信回線を介して受信する投資者選択情報受信手段を備えた場合、ユーザの考えも反映されてユーザが対象物を賃借しやすくなり、対象物の賃借を促進できる。
【発明の効果】
【００１５】
本発明に係る仲介システムによって、環境負荷の低減を促進することができる。
【発明を実施するための最良の形態】
【００１６】
以下、本発明の実施の形態について図面を参照しながら説明し、本発明の理解に供する。
図１は、本発明を適用した仲介システムの一構成例を説明する概略図である。図１において、本発明の仲介システム１は、生ゴミ処理機（対象物の一例である。）に投資する投資者の投資者端末２と、生ゴミ処理機を利用するユーザ（飲食店、ホテル、病院等）のユーザ端末３と、投資者端末及びユーザ端末の間を仲介する仲介サーバ４とで構成されている。
【００１７】
ここで、投資者端末２は、投資者に関する情報例えば氏名（名称）、住所（所在地）、事業内容、投資予算をインターネット（通信回線の一例である。）８を介して仲介サーバ４に送信する投資者情報送信手段５を備えている。
また、ユーザ端末３は、ユーザに関する情報例えば施設名、所在地、業種、生ゴミ排出量、生ゴミ処理量、二酸化炭素排出削減量、ユーザの特徴をインターネット８を介して仲介サーバ４に送信するユーザ情報送信手段１５を備えている。
【００１８】
また、仲介サーバ４は、投資者情報送信手段から受信した投資者に関する情報を記録する投資者情報データベース（投資者情報記録手段の一例である。）９と、ユーザ情報送信手段から受信したユーザに関する情報を記録するユーザ情報データベース（ユーザ情報記録手段の一例である。）１０と、ユーザ情報データベースに記録されたユーザに関する情報をインターネットを介して投資者端末に転送するユーザ情報転送手段１１と、生ゴミ処理機に関する情報例えば生ゴミ処理機を利用した過去の二酸化炭素削減量やこれからの削減量予測値や生ゴミ処理機を使用したリサイクルモデル（メリーズモデル）全体の情報や生ゴミ処理機の値段を記録する生ゴミ処理機情報データベース（対象物情報記録手段の一例である。）１２と、生ゴミ処理機情報データベースに記録された生ゴミ処理機に関する情報をインターネットを介して投資者端末及びユーザ端末に転送する生ゴミ処理機情報転送手段（対象物情報転送手段の一例である。）１３と、投資者情報データベースに記録された投資者に関する情報をインターネットを介してユーザ端末に転送する投資者情報転送手段１４とを備えている。
【００１９】
また、投資者端末２は、ユーザ情報転送手段からユーザに関する情報を受信するユーザ情報受信手段６と、ユーザ情報受信手段によって受信したユーザに関する情報に基づいて、生ゴミ処理機を賃借するユーザを選択するユーザ選択情報を仲介サーバにインターネットを介して送信するユーザ選択情報送信手段７とを備えている。
【００２０】
また、ユーザ端末３は、投資者情報転送手段から投資者に関する情報を受信する投資者情報受信手段１６と、投資者情報受信手段によって受信した投資者に関する情報に基づいて、賃借する生ゴミ処理機の投資者を選択する投資者選択情報を仲介サーバにインターネットを介して送信する投資者選択情報送信手段１７とを備えている。
【００２１】
次に、本発明の仲介システムの流れを説明する。
先ず、投資者は、投資者端末２から投資者に関する情報をインターネットを介して仲介サーバに送信して、ＩＤとパスワードが付与されて会員登録する。
次に、付与されたＩＤとパスワードを投資者端末２から入力してログインし、仲介サーバ４のユーザ情報転送手段１１から転送されるユーザに関する情報（例えば、投資者の住所にユーザの住所が近いかどうかの参考）や、生ゴミ処理機情報転送手段から転送される生ゴミ処理機に関する情報（例えば、予算はどうかの参考）を受信して、これら情報を参考にして、投資者はどの生ゴミ処理機に投資するか並びに投資した生ゴミ処理機をどのようなユーザに賃借してもらいたいかを決め、投資者端末２から、生ゴミ処理機を賃借するユーザを選択するユーザ選択情報をインターネットを介して仲介サーバ４に送信する。
【００２２】
一方、ユーザも、ユーザ端末３からユーザに関する情報をインターネットを介して仲介サーバに送信して、ＩＤとパスワードが付与されて会員登録する。
次に、付与されたＩＤとパスワードをユーザ端末３から入力してログインし、仲介サーバ４の投資者情報転送手段１４から転送される投資者に関する情報や、生ゴミ処理機情報転送手段から転送される生ゴミ処理機に関する情報を受信して、これら情報を参考にして、ユーザはどの生ゴミ処理機を賃借するか並びにどの投資者の生ゴミ処理機を賃借するかを決め、生ゴミ処理機の投資者を選択する投資者選択情報を仲介サーバ４にインターネットを介して送信する。
【００２３】
そして、ユーザ選択情報を送信する投資者及びユーザ選択情報に含まれる選択されたユーザの組合せと、投資者選択情報を送信するユーザ及び投資者選択情報に含まれる選択された投資者の組合せとを比べて、ユーザ同士及び投資者同士が一致した場合、賃貸借の交渉に入り、投資者とユーザとの間に賃貸借契約が結ばれ、賃貸料が投資者へと支払われる。
【００２４】
ここで、ユーザ端末が投資者情報受信手段や投資者選択情報送信手段を備えて投資者を選択する投資者選択情報を送信する場合を説明しているが、投資者がユーザ選択情報を送信するのであれば、必ずしもユーザ端末が、投資者情報受信手段や投資者選択情報送信手段を備えていなくてもよく、また、仲介サーバも投資者情報転送手段を備えていなくてもよい。
また、対象物として生ゴミ処理機を例に挙げて説明しているが、リサイクルシステムの一環を担い投資の対象となるものであれば必ずしも生ゴミ処理機でなくてもよく、例えば有機肥料、車両、化学物質であってもよい。
【００２５】
また、投資者は個人でもよければファンド化したグループでもよく、ファンド化したグループの場合、グループのリーダーのみがユーザを選ぶことができるようにする。リーダー以外のファンドに参加した投資者には、ユーザから支払われた賃貸料が配分されると共に、対象物が生ゴミ処理機の場合、生ゴミ処理機を使用したリサイクルモデルによって得られた有機野菜等も配給される。
【００２６】
このように、本発明の仲介システムでは、生ゴミ処理機を賃借するユーザを、生ゴミ処理機に投資する投資者が選択できるので、投資者の考えが充分に反映されて投資者が投資しやすくなり、小口でも参加できることから、賃借される生ゴミ処理機への投資を促進でき、その結果、有機廃棄物である生ゴミの処理というリサイクル活動を資金的に支援し、環境負荷の低減を促進することができる。
また、仲介サーバに生ゴミ処理機を利用した過去の二酸化炭素削減量やこれからの削減量予測値が記録され、これらの情報が投資者にも届けられるので、環境負荷低減への貢献度が判り、投資者を本発明のシステムに参加させる動機を投資者に与えやすくなる。
また、ユーザも、生ゴミ処理機を購入するのではなく賃借するので、購入する場合に比べて気軽に生ゴミ処理機を利用でき、生ゴミ処理機の普及速度も上がる。
【００２７】
また、生ゴミ処理機に投資する投資者を、生ゴミ処理機を賃借するユーザが選択することもできるので、ユーザの考えも反映されてユーザが生ゴミ処理機を賃借しやすくなり、生ゴミ処理機の賃借を促進でき、その結果、環境負荷の低減を促進することができる。
【図面の簡単な説明】
【００２８】
【図１】本発明を適用した仲介システムの一構成例を説明する概略図である。
【符号の説明】
【００２９】
１    仲介システム
２    投資者端末
３    ユーザ端末
４    仲介サーバ
５    投資者情報送信手段
６    ユーザ情報受信手段
７    ユーザ選択情報送信手段
８    インターネット
９    投資者情報データベース
１０    ユーザ情報データベース
１１    ユーザ情報転送手段
１２    生ゴミ処理機情報データベース
１３    生ゴミ処理機情報転送手段
１４    投資者情報転送手段
１５    ユーザ情報送信手段
１６    投資者情報受信手段
１７    投資者選択情報送信手段
【図１】
2008065740.tif 000003